(57)【要約】【課題】  比較的簡易な構成と制御とにより出力強度の変動を抑制可能な蛍光Ｘ線分析装置及びその制御方法を提供すること。【解決手段】  試料Ｓに対して一次Ｘ線Ｘ１を照射するＸ線管球２と、Ｘ線源から照射される一次Ｘ線を集光して試料に対する照射面積を制限するＸ線照射領域限定機構である集光素子３と、一次Ｘ線を照射された試料から発生する蛍光Ｘ線Ｘ２を検出する検出器４と、Ｘ線源を収納する筐体５と、筐体に設置された温度センサ６と、筐体に設けられ筐体を冷却可能な冷却機構７を少なくとも有した温度調整部８と、温度センサで検出した温度情報に基づいて温度調整部を駆動し筐体の温度を一定に調整する制御部Ｃとを備えている。【選択図】図１
2015175744.tif 000002
【特許請求の範囲】
【請求項１】
試料に対して一次Ｘ線を照射するＸ線管球と、
前記Ｘ線管球から照射される前記一次Ｘ線の前記試料に対する照射面積を制限するＸ線照射領域限定機構と、
前記一次Ｘ線を照射された前記試料から発生する蛍光Ｘ線を検出する検出器と、
前記Ｘ線管球を収納してＸ線源を構成する筐体と、
前記筐体に設置された温度センサと、
前記筐体に設けられ前記筐体を冷却可能な冷却機構を少なくとも有した温度調整部と、
前記温度センサで検出した温度情報に基づいて前記温度調整部を駆動し前記筐体の温度を一定に調整する制御部とを備えていることを特徴とする蛍光Ｘ線分析装置。
【請求項２】
請求項１に記載の蛍光Ｘ線分析装置において、
前記温度調整部が、前記筐体を加熱可能な加熱機構も備えていることを特徴とする蛍光Ｘ線分析装置。
【請求項３】
請求項２に記載の蛍光Ｘ線分析装置において、
前記制御部が、前記温度センサで検出した前記筐体の温度が一定温度になるまで前記分析の開始を制限する機能を有していることを特徴とする蛍光Ｘ線分析装置。
【請求項４】
請求項３に記載の蛍光Ｘ線分析装置において、
前記制御部が、前記Ｘ線源全体が、検出した前記筐体の温度での熱平衡に達する速度を基準として、予め決定した所定の時間の経過により前記筐体の温度が一定温度になったことを判断する機能を更に有していることを特徴とする蛍光Ｘ線分析装置。
【請求項５】
請求項１から４のいずれか一項に記載の蛍光Ｘ線分析装置において、
前記冷却機構が、前記筐体表面の一部又は全部の面に設けた放熱機構を備えていることを特徴とする蛍光Ｘ線分析装置。
【請求項６】
請求項１から４のいずれか一項に記載の蛍光Ｘ線分析装置において、
前記温度調整部が、前記筐体表面の一部又は全部の面に設けた液体ジャケットを備えていることを特徴とする蛍光Ｘ線分析装置。
【請求項７】
試料に対して一次Ｘ線を照射するＸ線管球と、
前記Ｘ線管球から照射される前記一次Ｘ線の前記試料に対する照射面積を制限する放射線制限素子と、
前記一次Ｘ線を照射された前記試料から発生する蛍光Ｘ線を検出する検出器と、
前記Ｘ線管球を収納してＸ線源を構成する筐体と、
前記筐体に設置された温度センサと、
前記筐体に設けられ前記筐体を冷却又は加熱可能な温度調整部と、を備えた蛍光Ｘ線分析装置の制御方法において、
前記温度センサで検出した温度情報に基づいて前記温度調整部を駆動して冷却又は加熱を行うことで前記筐体を所定の温度範囲に調整することを特徴とする蛍光Ｘ線分析装置の制御方法。
【発明の詳細な説明】
【技術分野】
【０００１】
本発明は、有害物質の検出等が可能で製品のスクリーニング等あるいはメッキ等の膜厚測定に使用される蛍光Ｘ線分析装置及びその制御方法に関する。
【背景技術】
【０００２】
蛍光Ｘ線分析は、Ｘ線管球から出射されたＸ線を試料に照射し、試料から放出される蛍光Ｘ線をＸ線検出器で検出し、それらの強度の関係から試料の組成に関する定性分析若しくは濃度や膜厚などの定量分析を行うものである。この蛍光Ｘ線分析は、試料を非破壊で迅速に分析可能なため、工程・品質管理などで広く用いられている。近年では、高精度化・高感度化が図られて微量測定が可能になり、特に材料や複合電子部品などに含まれる有害物質の検出を行う分析手法として普及が期待されている。
【０００３】
通常、試料に照射する一次Ｘ線を細いビーム状に絞り、数十〜数百マイクロメートルの範囲を分析する蛍光Ｘ線分析装置においては、Ｘ線源であるＸ線管球にＸ線照射領域を限定するための機構（以下、Ｘ線照射領域限定機構又は集光素子という）を組み合わせている。例えば、Ｘ線管球からのＸ線を集光して試料に対する照射面積を小さくすることができるポリキャピラリを備えたものが知られている。このポリキャピラリは、内径１０μｍ程の中空ガラス管（キャピラリ）の束で構成され、入射されたＸ線を内壁を全反射で伝播させ、各キャピラリの出射口を1点に指向させることでＸ線を集光する素子である。
【０００４】
このようなＸ線管球内部のＸ線発生位置とＸ線照射領域限定機構とは、精密に位置合わせされていることが必要である。しかしながら、装置の設置環境や、管球の筐体内部の発熱、扉の開閉による筐体内部の温度変動など、様々な要因でＸ線管球の周辺温度はある程度の幅で変動することが多い。この変動により、Ｘ線管球の主にアノードの部分の熱変形量が変化し、Ｘ線発生位置の変動をもたらしてしまう。
【０００５】
すなわち、Ｘ線管球が、その出力、環境温度及び装置筐体内部の温度などの要因に依存して、各部の温度が変化し、その温度変化に伴って、Ｘ線管球が熱的に変化し、Ｘ線発生部の機械的な位置が変動してしまう。このため、Ｘ線を特定の微小部に照射してそこからの蛍光Ｘ線を分析する装置においては、Ｘ線発生位置の機械的変動は、Ｘ線を特定の微小部に照射するための機構との位置ずれを引き起こし、結果としてＸ線照射位置やＸ線強度の変動をもたらしてしまう問題があった。
【０００６】
これらの変動に対し、従来、室内空調により気温の変動を抑える、あるいは頻繁に温度変動の効果を補正するための校正測定を行うなどの方法で対応していたが、十分ではなかった。
上記のような課題に対して、特許文献１では、Ｘ線発生位置の変動を検出し、Ｘ線管の位置を能動的に補正するＸ線管装置が提案されている。すなわち、このＸ線管装置では、Ｘ線管の温度変動に伴うＸ線管焦点の変位量を補正用Ｘ線検出器で検出し、変位量が少なくなる方向にモータでＸ線管を移動させることで、位置を補正している。また、Ｘ線管に赤外線検出器を取り付け、Ｘ線管の温度変化を検出し、この温度変化に対応してＸ線管の位置を補正している。
【０００７】
さらに、特許文献２では、寿命や信頼性の観点から管球ハウジングの排熱の効率を上げるＸ線発生装置が提案されている。すなわち、このＸ線発生装置では、絶縁油で満たされた内部にＸ線管球を収納した封入容器の外側に、放熱フィンと冷却ファンとを設け、これらによって熱を外部に放出させることで封入容器内の温度上昇を抑制している。
【先行技術文献】
【特許文献】
【０００８】
【特許文献１】実開平２−９１２００号公報
【特許文献１】特開２００２−１７５８９９号公報
【発明の概要】
【発明が解決しようとする課題】
【０００９】
上記従来の技術には、以下の課題が残されている。
すなわち、特許文献１に記載の技術では、Ｘ線管球位置の検出やＸ線管球位置の補正のために補正用Ｘ線検出器、モータ、ガイドレール等が必要になり、システムが複雑で高額になるという不都合があった。また、特許文献２の技術では、放熱により封入容器の温度上昇を抑制しているが、Ｘ線発生位置の安定化という観点では不十分であった。
【００１０】
本発明は、前述の課題に鑑みてなされたもので、比較的簡易な構成と制御とによりＸ線源とＸ線照射領域を限定するための機構との位置ずれを抑制可能な蛍光Ｘ線分析装置及びその制御方法を提供することを目的とする。
【課題を解決するための手段】
【００１１】
本発明は、前記課題を解決するために以下の構成を採用した。すなわち、第１の発明に係る蛍光Ｘ線分析装置は、試料に対して一次Ｘ線を照射するＸ線管球と、前記Ｘ線管球から照射される前記一次Ｘ線の前記試料に対する照射面積を制限するＸ線照射領域限定機構と、前記一次Ｘ線を照射された前記試料から発生する蛍光Ｘ線を検出する検出器と、前記Ｘ線管球を収納しＸ線源を構成する筐体と、前記筐体に設置された温度センサと、前記筐体に設けられ前記筐体を冷却可能な冷却機構を少なくとも有した温度調整部と、前記温度センサで検出した温度情報に基づいて前記温度調整部を駆動し前記筐体の温度を一定に調整する制御部とを備えていることを特徴とする。
【００１２】
すなわち、この蛍光Ｘ線分析装置では、筐体に設けられ筐体を冷却可能な冷却機構を少なくとも有した温度調整部と、温度センサで検出した温度情報に基づいて温度調整部を駆動し筐体の温度を一定に調整する制御部とを備えているので、簡易な機構でＸ線源の筐体の温度が一定となるように温度制御することができ、Ｘ線照射位置やＸ線強度の変動を抑制することができる。すなわち、Ｘ線源周辺の温度が一定に保たれるので、外気温等が変わってもＸ線源の筐体内部の熱平衡状態が変わらず、Ｘ線源の熱変化による変位が起こらない。したがって、Ｘ線管球とＸ線照射領域限定機構との位置ずれを最小限に留めることが可能になる。
なお、温度センサ及び温度調整部を筐体に取り付ける形式とすれば、他種類のＸ線源に対しても容易に対応可能となる。
【００１３】
第２の発明に係る蛍光Ｘ線分析装置は、第１の発明において、前記温度調整部が、前記筐体を加熱可能な加熱機構も備えていることを特徴とする。
すなわち、この蛍光Ｘ線分析装置では、温度調整部が、筐体を加熱可能な加熱機構も備えているので、筐体が一定温度よりも低温状態のときは加熱機構で加熱することができ、対応可能な温度領域を広げることができる。
【００１４】
第３の発明に係る蛍光Ｘ線分析装置は、第２の発明において、前記制御部が、前記温度センサで検出した前記筐体の温度が一定温度になるまで前記分析の開始を制限する機能を有していることを特徴とする。
すなわち、この蛍光Ｘ線分析装置では、制御部が、温度センサで検出した筐体の温度が一定温度になるまで分析の開始を制限する機能を有しているので、装置起動直後において低温状態の筐体を加熱機構で加熱して短時間で一定温度にすることができ、起動から分析開始までの待機時間を短縮することができる。また、筐体の温度が一定温度になる前に分析を開始してしまうことがなく、安定した分析を行うことができる。
【００１５】
第４の発明に係る蛍光Ｘ線分析装置は、第３の発明において、前記制御部が、前記Ｘ線源全体が、検出した前記筐体の温度での熱平衡に達する速度を基準として、予め決定した所定の時間の経過により前記筐体の温度が一定温度になったことを判断する機能を更に有していることを特徴とする。
すなわち、この蛍光Ｘ線分析装置では、制御部が、Ｘ線源全体が、検出した筐体の温度での熱平衡に達する速度を基準として、予め決定した所定の時間の経過により筐体の温度が一定温度になったことを判断する機能を更に有しているので、前記所定の時間の経過に基づいて分析を開始することができる。
【００１６】
第５の発明に係る蛍光Ｘ線分析装置は、第１から第４の発明のいずれかにおいて、前記冷却機構が、前記筐体表面の一部又は全部の面に設けた放熱機構を備えていることを特徴とする。
すなわち、この蛍光Ｘ線分析装置では、冷却機構が、筐体表面の一部又は全部の面に設けた放熱機構を備えているので、放熱機構により筐体の熱を外部に放熱することで筐体を効果的に冷却することができる。
【００１７】
第６の発明に係る蛍光Ｘ線分析装置は、第１から第４の発明のいずれかにおいて、前記温度調整部が、前記筐体表面の一部又は全部の面に設けた液体ジャケットを備えていることを特徴とする。
すなわち、この蛍光Ｘ線分析装置では、温度調整部が、筐体表面の一部又は全部の面に設けた液体ジャケットを備えているので、液体ジャケットの流路に流通させる液体の温度を制御することで、液体を介して筐体の温度を容易に調整することができる。
【００１８】
第７の発明に係る蛍光Ｘ線分析装置の制御方法は、試料に対して一次Ｘ線を照射するＸ線管球と、前記Ｘ線管球から照射される前記一次Ｘ線の前記試料に対する照射面積を制限する放射線制限素子と、前記一次Ｘ線を照射された前記試料から発生する蛍光Ｘ線を検出する検出器と、前記Ｘ線管球を収納してＸ線源を構成する筐体と、前記筐体に設置された温度センサと、前記筐体に設けられ前記筐体を冷却又は加熱可能な温度調整部と、を備えた蛍光Ｘ線分析装置の制御方法において、前記温度センサで検出した温度情報に基づいて前記温度調整部を駆動して冷却又は加熱を行うことで前記筐体を所定の温度範囲に調整することを特徴とする。
【発明の効果】
【００１９】
本発明によれば、以下の効果を奏する。
すなわち、本発明に係る蛍光Ｘ線分析装置によれば、筐体に設けられ筐体を冷却可能な冷却機構を少なくとも有した温度調整部と、温度センサで検出した温度情報に基づいて温度調整部を駆動し筐体の温度を一定に調整する制御部とを備えているので、簡易な機構でＸ線源の筐体の温度が一定となるように温度制御することができ、Ｘ線照射位置やＸ線強度の変動を抑制することができる。
【図面の簡単な説明】
【００２０】
【図１】本発明に係る蛍光Ｘ線分析装置及びその制御方法の第１実施形態を示す全体構成図である。
【図２】本発明に係る蛍光Ｘ線分析装置及びその制御方法の第２実施形態を示す全体構成図である。
【発明を実施するための形態】
【００２１】
以下、本発明に係る蛍光Ｘ線分析装置及びその制御方法の第１実施形態を、図１を参照しながら説明する。
【００２２】
本実施形態の蛍光Ｘ線分析装置１は、図１に示すように、試料Ｓに対して一次Ｘ線Ｘ１を照射するＸ線管球２と、Ｘ線管球２から照射される一次Ｘ線Ｘ１の試料Ｓに対する照射面積を制限する集光素子（Ｘ線照射領域限定機構）３と、一次Ｘ線Ｘ１を照射された試料Ｓから発生する蛍光Ｘ線Ｘ２を検出する検出器４と、Ｘ線管球２を収納しＸ線源を構成する筐体５と、筐体５に設置された温度センサ６と、筐体５に設けられ筐体５を冷却可能な冷却機構７を少なくとも有した温度調整部８と、温度センサ６で検出した温度情報に基づいて温度調整部８を駆動し筐体５の温度を一定に調整する制御部Ｃとを備えている。
また、上記温度調整部８は、筐体５を加熱可能な加熱機構９も備えている。
【００２３】
上記Ｘ線管球２は、一次Ｘ線Ｘ１を照射可能なＸ線管球であって、管球内のフィラメント（陰極）２ａから発生した熱電子ｅが、フィラメント（陰極）２ａとターゲット（陽極）２ｂとの間に印加された電圧により加速されターゲットのＷ（タングステン）、Ｍｏ（モリブデン）、Ｃｒ（クロム）などに衝突して発生したＸ線を一次Ｘ線Ｘ１としてベリリウム箔などの窓２ｃから出射するものである。
このＸ線管球２は、高圧絶縁油Ｌに浸けられてハウジングである筐体５内に格納されている。すなわち、Ｘ線管球２と筐体５とでＸ線源が構成されている。
【００２４】
上記検出器４は、半導体検出素子（例えば、ｐｉｎ構造ダイオードであるＳｉ（シリコン）素子）（図示略）を備え、Ｘ線光子１個が入射すると、このＸ線光子１個に対応する電荷を発生させ、後段に接続された前置増幅器によりＸ線光子のエネルギーと入射タイミングとの情報を含んだ電圧信号を出力するように設定されている。
【００２５】
上記試料Ｓは、図示しない試料台の上に載置されて分析に供される。
上記集光素子３は、Ｘ線源２に位置調整機構（図示略）を介して取り付けられているコリメータ、モノキャピラリ又はポリキャピラリである。この集光素子３は、基端がＸ線管球２からの一次Ｘ線Ｘ１が入射可能に配されていると共に、集光された一次Ｘ線Ｘ１を出射する先端が試料台に向けて配されている。上記位置調整機構は、集光素子３の基端部を保持すると共に出力強度が最大となるようにＸ線管球２と集光素子３との相対的な位置を調整する既知の３軸調整機構である。なお、集光素子３としては、モノキャピラリ又はポリキャピラリが好ましいが、集束結晶等を採用しても構わない。また、集光素子の代わりに一次Ｘ線の一部を遮蔽することでＸ線の照射領域を限定するコリメータを用いてもよい。
【００２６】
上記温度センサ６は、例えば熱電対やサーミスタ素子等が採用され、筐体５の外側上部に設置されている。
上記冷却機構７は、筐体５上部表面に熱伝導性シートや熱伝導性グリース等の熱伝導体１１を介して放熱機構として設置された放熱フィン１０と、該放熱フィン１０上に設置されたファン１２とを備えている。
また、上記加熱機構９は、放熱フィン１０とファン１２との間に設置されたヒータである。
【００２７】
上記制御部Ｃは、温度調整部８に接続されていると共に、Ｘ線管球２、検出器４及び試料台にも接続され、これらも制御するＣＰＵ等で構成されたコンピュータである。
この制御部Ｃは、ファン１２の風速等の放熱効果を制御可能であり、また加熱機構９のヒータによる加熱も制御可能である。制御部Ｃは、筐体５が一定温度に保持されるように温度調整部８をコントロールするが、前記一定温度は、例えば３３℃であって±１℃の温度範囲内、好ましくは０．５℃の温度範囲内を一定温度として規定している。
また、制御部Ｃは、温度センサ６で検出した筐体５の温度が一定温度（例えば３３℃±０．５℃）になるまで分析の開始を制限する機能を有している。
【００２８】
なお、本実施形態の蛍光Ｘ線分析装置１は、検出器４に接続され検出器４からの信号を分析する分析器（図示略）を備えている。この分析器は、上記信号から電圧パルスの波高を得てエネルギースペクトルを生成する波高分析器（マルチチャンネルパルスハイトアナライザー）である。
【００２９】
次に、本実施形態の蛍光Ｘ線分析装置１による温度制御方法について説明する。
この蛍光Ｘ線分析装置１では、温度センサ６で検出した温度情報に基づいて温度調整部８を駆動して冷却又は加熱を行うことで筐体５を所定の温度範囲に調整する。
まず、装置を起動した際、温度センサ６が筐体５の温度を検出するが、まだ全体の温度が低く、予め設定している一定温度に達していないことから、制御部Ｃが加熱機構９のヒータによって筐体５を加熱する。この間、Ｘ線分析を開始しようとしても制御部Ｃによって制限されており、分析が開始されない。
【００３０】
筐体５が一定温度に達したことを温度センサ６が検出した後、制御部Ｃは、制限していたＸ線分析の開始を解除し、分析が可能になる。分析を行う際は、Ｘ線源のＸ線管球２のアノード２ｂから放射される一次Ｘ線Ｘ１が、集光素子３によって所望の照射径に絞られて試料Ｓに照射される。この際、試料Ｓから放出された蛍光Ｘ線Ｘ２を検出器４で受けることによって蛍光Ｘ線分析が行われる。
【００３１】
この分析の際、制御部Ｃは、常に一定温度に維持されるように温度調整部８の冷却機構７及び加熱機構９によって筐体５の温度を制御する。これにより、設置環境の温度や装置のハウジング内部の温度が変動しても、Ｘ線源の筐体５の外殻温度は一定に保たれる。筐体５の外殻温度が一定であれば、筐体５内部の高圧絶縁油ＬやＸ線源２の各部の熱平衡状態も一定に保たれる。その効果により、筐体５内部の熱変形は非常に小さいレベルに抑えられ、アノード２ｂ上のＸ線発生部位は、筐体５に対して実用上、位置が不変となる。
【００３２】
このように本実施形態の蛍光Ｘ線分析装置１では、筐体５に設けられ筐体５を冷却可能な冷却機構７を有した温度調整部８と、温度センサ６で検出した温度情報に基づいて温度調整部８を駆動し筐体５の温度を一定に調整する制御部Ｃとを備えているので、簡易な機構でＸ線源の筐体５の温度が一定となるように温度制御することができ、Ｘ線照射位置やＸ線強度の変動を抑制することができる。すなわち、Ｘ線源周辺の温度が一定に保たれるので、外気温等が変わってもＸ線源の筐体５内部の熱平衡状態が変わらず、Ｘ線源の熱変化による変位が起こらない。したがって、Ｘ線源とＸ線照射領域限定機構である集光素子３との位置ずれを最小限に留めることが可能になる。
【００３３】
また、冷却機構７が、筐体５表面に設けた放熱フィン１０を備えているので、放熱フィン１０により筐体５の熱を外部に放熱することで筐体５を効果的に冷却することができる。
さらに、温度調整部８が、筐体５を加熱可能な加熱機構９も備えているので、筐体５が一定温度よりも低温状態のときは加熱機構９で加熱することができ、対応可能な温度領域を広げることができる。
【００３４】
また、制御部Ｃが、温度センサ６で検出した筐体５の温度が一定温度になるまで分析の開始を制限する機能を有しているので、装置起動直後において低温状態の筐体５を加熱機構９で加熱して短時間で一定温度にすることができ、起動から分析開始までの待機時間を短縮することができる。また、筐体５の温度が一定温度になる前に分析を開始してしまうことがなく、安定した分析を行うことができる。
【００３５】
ここで、温度センサ６で検出した筐体５の温度とＸ線源全体とが所定温度での熱平衡になったか否かは、例えば、Ｘ線源全体が、検出した筐体５の温度での熱平衡に達する速度を基準として、予め決定した所定の時間の経過により判断する機能を備えることで達成される。具体的には、制御したい所定の温度を基準温度として、筐体５が温度の変動幅を考慮した上下の温度から加熱・冷却によって前記基準温度に到達する時間と、筐体５及び絶縁油の熱容量並びに熱伝導度に基づいてあるいは実測してＸ線源が熱平衡に達する時間と、を予め調べておき、それらを加算した時間の経過をもって前記の熱平衡となったと判断する。
【００３６】
次に、本発明に係る蛍光Ｘ線分析装置及びその制御方法の第２実施形態について、図２を参照して以下に説明する。なお、以下の実施形態の説明において、上記実施形態において説明した同一の構成要素には同一の符号を付し、その説明は省略する。
【００３７】
第２実施形態と第１実施形態との異なる点は、第１実施形態では、放熱機構である放熱フィン１０を筐体５の上部表面に設けているのに対し、第２実施形態の蛍光Ｘ線分析装置２１では、図２に示すように、温度調整部２８が、筐体５表面に設けた液体ジャケット２０を備えている点である。すなわち、第２実施形態では、筐体５の周囲に液体の流路２０ａを張り巡らせる液体ジャケット２０を設け、この液体ジャケット２０内の液体温度を所定の温度に制御することで、筐体５の温度を調整している。
【００３８】
上記液体ジャケット２０では、流路２０ａとしてパイプを折り返して並列させたものを筐体５表面のほぼ全体に設けたが、温調済みの液体の流入部及び流出部を設けて液体が循環すればよく、空洞のジャケットとしてもよい。なお、液体としては、水や油などが利用可能である。また、制御部Ｃは、液体ジャケット２０の流路２０ａに流体を循環させるポンプ等の液体循環機構（図示略）と、循環させる液体の温度調整を行う放熱器等の液体温度調整機構（図示略）とを備えている。
このように第２実施形態の蛍光Ｘ線分析装置２１では、温度調整部２８が、筐体５表面に設けた液体ジャケット２０を備えているので、液体ジャケット２０の流路２０ａに流通させる液体の温度を制御することで、液体を介して筐体５の温度を容易に調整することができる。
【００３９】
なお、本発明の技術範囲は上記各実施形態に限定されるものではなく、本発明の趣旨を逸脱しない範囲において種々の変更を加えることが可能である。
【００４０】
例えば、上記各実施形態では、波高分析器でＸ線のエネルギーと強度とを測定するエネルギー分散方式の蛍光Ｘ線分析装置に適用したが、蛍光Ｘ線を分光結晶により分光し、Ｘ線の波長と強度を測定する波長分散方式の蛍光Ｘ線分析装置に適用しても構わない。
また、温度調整部の冷却機構又は加熱機構にペルチェデバイス等を採用しても構わない。
さらに、筐体内の高圧絶縁油の温度が筐体の温度と同等であるとして、高圧絶縁油の温度を測定するセンサを、筐体の温度を測定する温度センサとして採用しても構わない。
【符号の説明】
【００４１】
１，２１…蛍光Ｘ線分析装置、２…Ｘ線管球、３…集光素子（Ｘ線照射領域限定機構）、４…検出器、５…筐体、６…温度センサ、７…冷却機構、８，２８…温度調整部、９…加熱機構、１０…放熱フィン（放熱機構）、２０…液体ジャケット、Ｃ…制御部、Ｓ…試料、Ｘ１…一次Ｘ線、Ｘ２…蛍光Ｘ線
【図１】
2015175744.tif 000003
【図２】
2015175744.tif 000004